(57)【要約】【課題】文字入力や所望のアプリケーションソフト用のアイコン選択操作等のキー入力時に誤操作を抑制又は回避することを可能にする。【解決手段】各種アプリケーションソフトに対応する複数のアプリ用アイコン又は、かなや記号及びテンキーを含む文字キーが配列されたキーボードＫＢが表示され、当該アプリ用アイコン又は当該文字キーへのタッチにより当該アプリ用アイコンの選択又は当該文字キーの入力が実行されるタッチパネルＴＰと、アプリ用アイコンの選択又は文字キーの入力の誤操作を検出する検出部としてのキー誤操作検出部１２１と、その検出された同一アプリ用アイコン又は同一文字キーに対する誤操作の回数が所定回数となった際に、該当アプリ用アイコンの選択又は該当文字キーの入力を検出するタッチ感度を抑制する抑制部としての感度抑制部１２２とを備えて構成した。【選択図】図２
2013175138.tif 000002
【特許請求の範囲】
【請求項１】
各種アプリケーションソフトに対応する複数のアイコン又は、かなや記号及びテンキーを含む文字キーが配列されたキーボードが表示され、当該アイコン又は当該文字キーへのタッチにより当該アイコンの選択又は当該文字キーの入力が実行されるタッチパネルと、
前記アイコンの選択又は前記文字キーの入力の誤操作を検出する検出部と、
前記検出部で検出された同一アイコン又は同一文字キーに対する誤操作の回数が所定回数となった際に、該当アイコンの選択又は該当文字キーの入力を検出するタッチ感度を抑制する抑制部と
を備えることを特徴とするタッチパネル型端末装置。
【請求項２】
前記検出部は、前記アイコンの選択操作後、当該選択前の画面に戻るバック操作の検出時、又は、前記文字キーの入力操作で表示された文字の削除操作の検出時に、前記誤操作と検出することを特徴とする請求項１記載のタッチパネル型端末装置。
【請求項３】
前記抑制部は、前記誤操作の回数に応じた感度に、前記タッチ感度を抑制することを特徴とする請求項１又は２記載のタッチパネル型端末装置。
【請求項４】
前記抑制部で抑制されたタッチ感度に応じて定められた時間以上、前記タッチパネルへのタッチが行われた際に、前記アイコンの選択又は前記文字キーの入力を有効とする制御を行う操作制御部を更に備えることを特徴とする請求項１〜３の何れか１つに記載のタッチパネル型端末装置。
【請求項５】
前記抑制部で抑制されたタッチ感度に応じて定められた押圧力以上の圧力で、前記タッチパネルへのタッチが行われた際に、前記アイコンの選択又は前記文字キーの入力を有効とする制御を行う操作制御部を更に備えることを特徴とする請求項１〜３の何れか１つに記載のタッチパネル型端末装置。
【請求項６】
前記アイコン又は前記文字キーを、前記抑制部で抑制されたタッチ感度に応じて定められた輝度、色、大きさ、形状線の太さの何れか１つで表示する表示状態可変部を更に備えることを特徴とする請求項１〜５の何れか１つに記載のタッチパネル型端末装置。
【請求項７】
前記抑制部で抑制されたタッチ感度をリセットするリセット部を更に備えることを特徴とする請求項１〜６の何れか１つに記載のタッチパネル型端末装置。
【発明の詳細な説明】
【技術分野】
【０００１】
本発明は、携帯電話機、ＰＤＡ（Persona1 Digita1 Assistant）、タブレット型ＰＣ（パーソナルコンピュータ）、電子書籍端末機、電子辞書端末機等のタッチパネル型端末装置であって、特にキー操作ミスを抑制する、タッチパネル型端末装置に関する。
【背景技術】
【０００２】
従来、タッチパネル型端末装置としての例えば携帯電話機においては、ディスプレイに複数の角型のアプリ用アイコン（アプリケーションソフト用アイコン）を表示したランチャーメニューを操作して、所望のアプリケーションソフトを実行する。更に、ディスプレイにローマ字や五十音の「かな」並びにテンキー等によるキーボードを表示して所望の文字入力操作を行い、メール送信などを行ったりする。
【０００３】
この種のタッチパネル型端末装置として、特許文献１に記載のタッチパネル装置がある。この装置は、表面の位置に対応して複数の操作キーが設定されているタッチパネルと、タッチパネルを加振する加振装置を備えた入力装置であって、入力モードに対応して、操作してはならない操作禁止キーが予め定められており、当該入力モードにおける操作禁止キーが操作されると、タッチパネルを振動させて警告振動を発生する機能を有する。
【０００４】
この機能によって、どのキーが操作されたかが認識されると同時に、操作されたキーが操作禁止キーであればそのことが認識される。従って、誤操作に即応して警告を発することができる。また、タッチパネルを振動させることによって警告を発生するため、周辺の環境の影響を受けにくく、より確実に操作者に警告を知らしめることができる。
【先行技術文献】
【特許文献】
【０００５】
【特許文献１】特開２００５−２６７０５８号公報
【発明の概要】
【発明が解決しようとする課題】
【０００６】
ところで、上述したタッチパネル型端末装置において、ディスプレイでランチャーメニューのアプリ用アイコンをタッチする選択操作が誤った場合、バック操作してランチャーメニューに戻り、正しいアプリ用アイコンをタッチ操作し直す必要がある。また、ディスプレイのキーボードにて文字入力操作を誤った場合、その操作で表示された例えば「あ」の文字を削除して正しく入力し直す必要がある。このように複数のアプリ用アイコンの選択操作や文字入力操作を誤った場合、それを訂正する操作を行う必要があり、その誤りを事前に回避することが出来ないという問題がある。
【０００７】
特許文献１に開示された技術では、入力モードに対応して操作禁止キーを予め定めておき、操作キーが操作禁止キーであれば警告を発するようになっている。このため、メールのための文字入力など自由にキー入力を行ったり、アプリ用アイコンを選択したりするといった操作内容では誤操作を回避することができない。
【０００８】
本発明は上記した課題を解決するためになされたものであり、文字入力や所望のアプリケーションソフト用のアイコン選択操作等のキー入力時に誤操作を抑制又は回避することができる、タッチパネル型端末装置を提供することを目的とする。
【課題を解決するための手段】
【０００９】
上記した課題を解決するために本発明は、各種アプリケーションソフトに対応する複数のアイコン又は、かなや記号及びテンキーを含む文字キーが配列されたキーボードが表示され、当該アイコン又は当該文字キーへのタッチにより当該アイコンの選択又は当該文字キーの入力が実行されるタッチパネルと、前記アイコンの選択又は前記文字キーの入力の誤操作を検出する検出部と、前記検出部で検出された同一アイコン又は同一文字キーに対する誤操作の回数が所定回数となった際に、該当アイコンの選択又は該当文字キーの入力を検出するタッチ感度を抑制する抑制部とを備えることを特徴とする。
【００１０】
本発明において、前記検出部は、前記アイコンの選択操作後、当該選択前の画面に戻るバック操作の検出時、又は、前記文字キーの入力操作で表示された文字の削除操作の検出時に、前記誤操作と検出することを特徴とする。
【００１１】
本発明において、前記抑制部は、前記誤操作の回数に応じた感度に、前記タッチ感度を抑制することを特徴とする。
【００１２】
本発明において、前記抑制部で抑制されたタッチ感度に応じて定められた時間以上、前記タッチパネルへのタッチが行われた際に、前記アイコンの選択又は前記文字キーの入力を有効とする制御を行う操作制御部を更に備えることを特徴とする。
【００１３】
本発明において、前記抑制部で抑制されたタッチ感度に応じて定められた押圧力以上の圧力で、前記タッチパネルへのタッチが行われた際に、前記アイコンの選択又は前記文字キーの入力を有効とする制御を行う操作制御部を更に備えることを特徴とする。
【００１４】
本発明において、前記アイコン又は前記文字キーを、前記抑制部で抑制されたタッチ感度に応じて定められた輝度、色、大きさ、形状線の太さの何れか１つで表示する表示状態可変部を更に備えることを特徴とする。
【００１５】
本発明において、前記抑制部で抑制されたタッチ感度をリセットするリセット部を更に備えることを特徴とする。
【発明の効果】
【００１６】
本発明によれば、文字入力や所望のアプリケーションソフト用のアイコン選択操作等のキー入力時に誤操作を抑制又は回避することができるタッチパネル型端末装置を提供することができる。
【図面の簡単な説明】
【００１７】
【図１】（ａ）は、本実施形態に係るタッチパネル型端末装置としての携帯電話機１の外観正面図、（ｂ）は側面図である。
【図２】本実施形態の携帯電話機の構成を示すブロック図である。
【図３】本実施形態の携帯電話機のタッチパネルに表示された複数のアプリ用アイコンの表示群から成るランチャーメニューを示す正面図である。
【図４】本実施形態の携帯電話機のタッチパネルに表示された複数の文字キーから成るキーボードを示す正面図である。
【図５】本実施形態の携帯電話機における閾値、感度、輝度、タッチ反応時間の関係図である。
【図６】本実施形態の携帯電話機のキー操作ミスの抑制制御の動作を説明するためのフローチャートである。
【発明を実施するための形態】
【００１８】
以下、添付図面を参照して本発明を実施するための実施の形態（以下、単に本実施形態
という）について詳細に説明する。
（実施形態の構成）
図１（ａ）は、実施形態に係るタッチパネル型端末装置としての携帯電話機１の外観正面図、（ｂ）は側面図である。図２は、携帯電話機１の構成を示すブロック図である。本実施形態に係る携帯電話機１の構成を図１及び図２の双方を使用して説明する。携帯電話機１は、薄型の長方形状のキャビネット１０を有する。キャビネット１０の正面側には、タッチパネルＴＰが配置され、このタッチパネルＴＰは、ディスプレイ１１と、ディスプレイ１１に重ねられたタッチセンサ１２とを備える。
【００１９】
ディスプレイ１１は、液晶パネル１１ａと、液晶パネル１１ａを照明するバックライト１１ｂにより構成されている。液晶パネル１１ａは、画像を表示するための表示面１１ｃを表に有し、表示面１１ｃが外部に現れる。表示面１１ｃには、多数のアプリケーションソフト又はプログラム（アプリ又はアプリケーションと略す）のアイコン（アプリ用アイコン）が並べられたホーム画面やアプリケーションに基づく実行画面が表示される。なお、液晶パネル１１ａに代え、有機ＥＬ（Organic Electro-Luminescence）など他の表示素子を用いてもよい。
【００２０】
タッチセンサ１２は、表示面１１ｃの上に透明なシート状に形成されており、タッチセンサ１２を透して表示面１１ｃを見ることができる。また、タッチセンサ１２は、ユーザが触れた（タッチした）表示面１１ｃ上の位置（以下、「入力位置」と言う。）を検出し、その入力位置に応じた位置信号を後述するＣＰＵ１００へ出力する。なお、表示面１１ｃに触れる（又はタッチする）とは、実際には、タッチセンサ１２を覆うカバーの表面における表示面１１ｃに相当する領域を触れることである。
【００２１】
更に、タッチセンサ１２は、静電容量式のタッチセンサであり、マトリクス状に配された第１透明電極、第２透明電極及びカバーを備え、その第１及び第２透明電極間の静電容量の変化を検出することによって、入力位置を検出する。タッチセンサ１２は、静電容量式のタッチセンサに限られず、超音波式、感圧式、抵抗腹式、光検知式等のタッチセンサであってもよい。
【００２２】
ユーザは、自分の指又はペンなどの接触部材（簡単のため、以下、単に「指」と言う）によって表示面１１ｃを触れることにより、タッチ、タップ、フリック等の各種操作を行うことができる。タッチパネルＴＰの縦方向の下方には、タッチキー１３ａ，１３ｂ，１３ｃから成るキー操作部１３が配置されている。タッチキー１３ａ〜１３ｃは、具体的には、ホームキー１３ａ、設定キー１３ｂ、バックキー１３ｃである。ホームキー１３ａは、図３に示すように複数のアプリ用アイコンＲａ〜Ｒｐの表示群から成るランチャーメニューなどのホーム画面を表示面１１ｃに表示させるためのキーである。設定キー１３ｂは、各種設定を行う設定画面を表示面１１ｃに表示させるためのキーである。バックキー１３ｃは、アプリケーションの実行の際、表示面１１ｃに表示される画面を１ステップ前の画面に戻すためのキーである。
【００２３】
更には、タッチセンサ１２によって、表示面１１ｃに表示された各アプリ用アイコンＲａ〜Ｒｐに、ユーザが指でタッチして選択可能となっている。また、表示面１１ｃには、タッチセンサ１２による所定のタッチ操作で、図４に示すように、五十音の「かな」や図示せぬローマ字のキー並びにテンキー等の文字キーが配列されたキーボードＫＢが表示されるようになっており、例えば「かな」キーをタッチしながら選択して文字入力操作が行えるようになっている。なお、以降の表現で「かな」キー等の文字キーは、単に「かな」や文字と表現する場合も有る。
【００２４】
キャビネット１０の正面側には、縦方向の下部にマイクロホン（マイクと言う）１４が
配されており、上部にスピーカ１５が配置されている。ユーザは、スピーカ１５からの音声を耳で捉え、マイク１４に対して音声を発することにより通話を行うことができる。
【００２５】
キャビネット１０の背面側には、カメラモジュール１６が配置されている。キャビネット１０の背面には、レンズ窓（図示せず）が配されており、レンズ窓から被写体の画像がカメラモジュール１６に取り込まれる。
【００２６】
更に、携帯電話機１は、図２に示すように、上述した各構成要素の他、ＣＰＵ１００と、メモリ１０１と、画像処理部１０２と、キー入力部１０３と、音声エンコーダ１０４と、音声デコーダ１０５と、映像エンコーダ１０６と、通信モジュール１０７と、加速度センサ１０８とを備える。更に、ＣＰＵ１００は、本実施形態の特徴要素であるキー誤操作検出部１２１と、感度抑制部１２２と、キー操作制御部１２３と、キー表示状態可変部１２４と、感度リセット部１２５とを備えている。
【００２７】
画像処理部１０２は、ＣＰＵ１００から入力された制御信号に従ってディスプレイ１１に表示される画像を生成し、画像データをＶＲＡＭ（Video RAM：ブライム）１０２ａに
記憶させる。更に、そのＶＲＡＭ１０２ａに記憶された画像データを含む画像信号を、ディスプレイ１１へ出力する。また、画像処理部１０２は、ディスプレイ１１を制御するための制御信号を出力し、ディスプレイ１１のバックライト１１ｂを点灯又は消灯させる。このようにして、バックライト１１ｂから放出された光が、画像信号に基づいて液晶パネル１１ａにより変調されることにより、ディスプレイ１１の表示面１１ｃに画像が表示される。
【００２８】
キー入力部１０３は、キー操作部１３の各キーが押下された際に、押下キーに応じた信号をＣＰＵ１００へ出力する。音声エンコーダ１０４は、マイク１４で集音した音声に応じて出力される音声信号をデジタルの音声信号に変換し、ＣＰＵ１００へ出力する。音声デコーダ１０５は、ＣＰＵ１００からの音声信号にデコード処理及びＤ／Ａ変換処理を施し、変換されたアナログの音声信号をスピーカ１５へ出力する。
【００２９】
通信モジュール１０７は、通話や通信のための電波を送受信するアンテナを備える。通信モジュール１０７は、ＣＰＵ１００から入力される信号を無線信号に変換し、変換された無線信号を、アンテナを介して、基地局や他の通信装置等の通信先へ送信する。また、通信モジュール１０７は、アンテナを介して受信した無線信号をＣＰＵ１００が利用できる形式の信号へ変換し、変換された信号をＣＰＵ１００へ出力する。
【００３０】
加速度センサ１０８は、携帯電話機１にかかる加速度を検出する。メモリ１０１は、ＲＯＭ及びＲＡＭを含み、ＣＰＵ１００に制御機能を付与するための制御プログラムと、種々のアプリケーションが記憶されている。また、メモリ１０１は、アプリケーションの実行の際に一時的に利用又は生成される各種のデータを記憶する、ワーキングメモリとしても使用される。
【００３１】
ＣＰＵ１００は、制御プログラムに従って、カメラモジュール１６、マイク１４、通信モジュール１０７、ディスプレイ１１、スピーカ１５等、各構成要素を制御することにより、通話、カメラ機能、電子メール、ウェブブラウザ、地図、音楽プレーヤ等、各種のアプリケーションを実行する。また、ＣＰＵ１００は、加速度センサ１０８からの加速度信号に基づき、携帯電話機１が、地面に対して横向き又は縦向きの何れの姿勢であるか否かを検出し、この検出姿勢に応じてディスプレイ１１における画面の表示方向を、横向きや縦向きの適正な方向に制御する。
【００３２】
キー誤操作検出部１２１は、表示面１１ｃに表示されたランチャーメニューの複数のア
プリ用アイコンＲａ〜Ｒｐの選択の誤操作（アプリ選択誤操作という）、並びにキーボードＫＢによる文字入力の誤操作（文字入力誤操作という）を検出する。そのアプリ選択誤操作では、任意のアプリ用アイコン（例えばＲｈ）を指でタッチする選択操作を誤った際に、バックキー１３ｃのタッチでバック操作してランチャーメニューに戻った動作を検出した場合、その一旦選択したアプリ用アイコンＲｈの選択が誤操作と検出する。更に、文字入力誤操作では、キーボードＫＢにて所望の文字（例えば「な」）を入力し、この「な」を削除した動作を検出した場合、その一旦入力した「な」の入力が誤操作と検出する。この「な」の誤操作を図５（ａ）に示す。
【００３３】
感度抑制部１２２は、キー誤操作検出部１２１で検出された同じアプリ用アイコンＲｈに対するアプリ選択誤操作、又は同じ文字「な」に対する文字入力誤操作の回数をカウントし、このカウント値である誤操作回数が予め設定された複数の閾値（例えば図５（ｂ）に示すように、第１閾値＝３回、第２閾値＝６回、第３閾値＝９回）となる度に、タッチセンサ１２の該当アイコンＲｈ又は文字「な」へのタッチ感度を、それら第１〜第３閾値に対応付けられた各感度に抑制して保持する。
【００３４】
例えば、図５（ｃ）に示すように、第１閾値には第１感度、第２閾値には第２感度、第３閾値には第３感度が対応付けられており、この際に、キー誤操作検出部１２１で「な」の文字入力誤操作が３回検出されたとすると、感度抑制部１２２は、その文字「な」の感度を第１閾値に対応付けられた第１感度に抑制して保持する。
【００３５】
キー操作制御部１２３は、タッチセンサ１２において感度抑制部１２２で抑制された感度のアイコンＲｈや文字「な」にタッチ反応時間を対応付け、タッチセンサ１２での該当のアイコンＲｈや文字「な」へのタッチ時間がそのタッチ反応時間以上となった場合にのみ、タッチしたアイコンＲｈの選択や文字「な」の入力を有効とする制御を行う。つまり、感度抑制が行われているアプリ用アイコンＲｈや文字「な」に対してタッチ時の反応が悪くなるように制御を行う。なお、アプリ用アイコンＲｈを所定時間タッチすることにより別の機能が実施される場合には、タッチ反応時間を上記所定時間より短くするなど、タッチ反応時間を適宜設定するとよい。
【００３６】
例えば、図５（ｄ）に示すように、タッチ反応時間として、第１感度に第１反応時間（例えば１秒）、第２感度に第２反応時間（例えば２秒）、第３感度に第３反応時間（例えば３秒）が対応付けられており、また、感度抑制部１２２で文字「な」の文字入力誤操作の３回の第１閾値に対応する第１感度が保持されている場合、図５（ｅ）に示すように、タッチセンサ１２で「な」へのタッチ時間が１秒以上となった場合にのみ、キー操作制御部１２３は、「な」を入力する制御を行う。従って、タッチ時間が１秒未満では、「な」の入力は行われないようになっている。
【００３７】
キー表示状態可変部１２４は、感度抑制部１２２で抑制されて保持されたアイコンＲｈや文字「な」の感度に応じて、そのアイコンＲｈや文字「な」の輝度を可変制御する。これは、感度抑制部１２２で抑制される感度が、図５（ｃ）に示すように第１感度、第２感度、第３感度と抑制が強くなるに従って、アイコンや文字の輝度が、図５（ｃ−１）に示すように、第１輝度、第２輝度、第３輝度と暗くなるように可変制御される。なお、明るくなるように可変制御してもよい。
【００３８】
感度リセット部１２５は、タッチセンサ１２等における所定のリセット操作に応じて、感度抑制部１２２で保持されている抑制感度をリセットして通常感度とする。
（実施形態の動作）
以下、本実施形態に係る携帯電話機１のキー操作ミスの抑制制御の動作を、図６のフローチャートを参照して詳細に説明する。但し、タッチパネルＴＰの表示面１１ｃに図４に
示したキーボードＫＢを表示して文字入力を行う場合を代表に挙げて説明する。
【００３９】
ＣＰＵ１００は、文字入力が行われたか否かを判断している（ステップＳ１）。ここで、ユーザが表示面１１ｃに表示された図４に示すキーボードＫＢにおいて、所望の文字の例えば「な」にタッチして入力を行ったとする（ステップＳ１においてＹＥＳ）。
【００４０】
キー誤操作検出部１２１において、その文字「な」の入力が誤操作か否かが判断される（ステップＳ２）。ここで、「な」と入力され、この「な」が削除されたとすると、キー誤操作検出部１２１では、ステップＳ２において、その文字「な」の入力が誤操作と判断される（ステップＳ２においてＹＥＳ）。
【００４１】
この判断によって、感度抑制部１２２で、その文字「な」に対する文字入力誤操作の回数がカウントされる（ステップＳ３）。更に、感度抑制部１２２で、そのカウント値である「な」の誤操作回数が、予め設定された第１閾値（＝３回）、第２閾値（＝６回）、第３閾値（＝９回）の何れ以上か否かが判断される（ステップＳ４）。この結果、何れの閾値以上ともなっていない場合、ステップＳ１に戻って文字入力がされたか否かの判断が行われる。
【００４２】
一方、ステップＳ４において、例えば文字「な」の誤操作回数が３回であり、感度抑制部１２２で、第１閾値（＝３回）以上となっていると判断された場合（ステップＳ４においてＹＥＳ）、その文字「な」の感度が、第１閾値に対応付けられた第１感度に抑制され、保持される（ステップＳ５）。
【００４３】
次に、キー表示状態可変部１２４により、感度抑制部１２２で感度が抑制された文字「な」のキーの輝度が、その抑制された第１感度に応じた第１輝度に可変制御される。つまり、輝度が通常の輝度よりも暗く変化される（ステップＳ６）。そして、再びステップＳ１に戻って文字入力がされたか否かの判断が行われる。
【００４４】
ステップＳ２において、誤操作が検出されていないと判断されると（ステップＳ２においてＮＯ）、ユーザによって入力されたキー（該当キー）の感度が抑制されているか否かが判断される（ステップＳ７）。
【００４５】
次に、該当キーの感度が抑制されているのであれば（ステップＳ７においてＹＥＳ）、キー誤操作検出部１２１で、ユーザがキーボードＫＢにおいて文字（例えば、「な」）のキーにタッチした際に、このタッチ時間が予め定められた所定の反応時間以上となったか否かが判断される（ステップＳ８）。例えば、図５（ｄ）に示すように、タッチ反応時間として、第１感度に第１反応時間（１秒）、第２感度に第２反応時間（２秒）、第３感度に第３反応時間（３秒）が対応付けられている場合、該当キーのタッチ時間が、図５（ｅ）に示すように１秒以上となった場合、キー操作制御部１２３の制御により、該当キーに対応する文字が入力される（ステップＳ９）。一方、１秒未満であれば、該当キーに対応する文字の入力は行われない（ステップＳ１０）。
【００４６】
なお、ステップＳ７において、該当キーの感度が抑制されていないと判断されると（ステップＳ７においてＮＯ）、キー操作制御部１２３の制御により、タッチ時間に関わらず、該当キーに対応する文字が入力される（ステップＳ９）。
【００４７】
また、上記ステップＳ５での感度抑制が行われた後、ユーザがキーボードＫＢから所定のリセット操作を行うと、感度リセット部１２５により、感度抑制部１２２で保持されている抑制感度がリセットされて通常感度とされる。
（実施形態の効果）
以上説明のように本実施形態に係るタッチパネル型端末装置としての携帯電話機１は、各種アプリケーションソフトに対応する複数のアプリ用アイコン又は、かなや記号及びテンキーを含む文字キーが配列されたキーボードＫＢが表示され、当該アプリ用アイコン又は当該文字キーへのタッチにより当該アプリ用アイコンの選択又は当該文字キーの入力が実行されるタッチパネルＴＰと、アプリ用アイコンの選択又は文字キーの入力の誤操作を検出する検出部としてのキー誤操作検出部１２１と、その検出された同一アプリ用アイコン又は同一文字キーに対する誤操作の回数が所定回数となった際に、該当アプリ用アイコンの選択又は該当文字キーの入力を検出するタッチ感度を抑制する抑制部としての感度抑制部１２２とを備えて構成されている。
【００４８】
この構成によれば、ユーザがタッチパネルＴＰに表示の特定のアイコンの選択や特定の文字キーの入力を誤操作した際に、その誤操作が多ければ（誤操作がある所定の回数を超えれば）、その特定のアイコンの選択や特定の文字キーのタッチ感度が抑制されて下がる。このため、ユーザがその特定のアイコンの選択や特定の文字キーの入力を行う際に、タッチしても感度が下がっているので即時選択や入力が行われなくなる。これにより、ユーザがキー操作間違いに気付き、間違いがなくなるように意識し、結果として間違いが無くなる様にすることができる。言い換えれば、文字入力や所望のアプリケーションソフト用のアイコン選択操作等のキー入力時に誤操作を抑制又は回避することができる。
【００４９】
また、キー誤操作検出部１２１の誤操作の検出は、アプリ用アイコンの選択操作後、当該選択前の画面に戻るバックキー１３ｃによるバック操作の検出時、又は、文字キーの入力操作で表示された文字の削除操作の検出時に、誤操作と検出されるようにした。これによって、適正にアイコンや文字キーの誤操作を検出することができる。
【００５０】
また、感度抑制部１２２が、誤操作の回数に応じた感度に、タッチ感度を抑制するようにした。従って、特定のアイコンや文字キーの誤操作の回数が多ければ多いほどにタッチ感度を鈍くしておけば、ユーザがそのアイコンや文字キーにタッチした際に、即時入力反応が無いので、ユーザが間違いに気付き易くなる。
【００５１】
また、タッチパネルＴＰが静電容量式である場合に、感度抑制部１２２で抑制されたタッチ感度に応じて定められた時間以上、タッチパネルＴＰへのタッチが行われた際に、アプリ用アイコンの選択又は文字キーの入力を有効とする制御を行う操作制御部としてのキー誤操作検出部１２１を更に備えて構成した。
【００５２】
この構成によれば、特定のアイコンや文字キーへのタッチ感度の抑制が鈍いほどに、タッチパネルＴＰへのタッチ検出時間を長く設定しておけば、ユーザが特定のアイコンや文字キーにタッチした際に、その設定時間タッチしなければアイコンの選択又は文字キーの入力が有効とされない。従って、ユーザが特定のアイコンや文字キーへのタッチ時に、自分の誤操作に気付き易くなる。
【００５３】
更に、タッチセンサ１２が感圧式などのようにタッチの押圧力でタッチ操作を検出している場合に、キー操作制御部１２３が、感度抑制部１２２で抑制されたタッチ感度に応じて定められた押圧力以上の圧力で、タッチパネルＴＰへのタッチが行われた際に、アプリ用アイコンの選択又は文字キーの入力を有効とする制御を行うように構成してもよい。
【００５４】
この構成によれば、特定のアイコンや文字キーへのタッチ感度の抑制が鈍いほどに、タッチパネルＴＰへのタッチ押圧力を強く設定しておけば、ユーザが特定のアイコンや文字キーにタッチした際に、その設定押圧力でタッチしなければアイコンの選択又は文字キーの入力が有効とされない。従って、ユーザが特定のアイコンや文字キーへのタッチ時に、自分の誤操作に気付き易くなる。
【００５５】
また、アプリ用アイコン又は文字キーを、感度抑制部１２２で抑制されたタッチ感度に応じて定められた輝度で表示する表示状態可変部としてのキー表示状態可変部１２４を更に備えて構成した。
【００５６】
この構成によれば、タッチ感度が抑制された際に、その抑制の度合いに応じた輝度で、輝度の他に、が表示されるので、ユーザが他のアイコンや文字キーと輝度が異なることに気付き、その特定のアプリ用アイコン又は文字キーの誤操作が多いことに気付かせる効果がある。
【００５７】
更に、キー表示状態可変部１２４が、特定のアプリ用アイコン又は文字キーを、輝度の他に、色、大きさ、形状線の太さの何れか１つで表示するようにしてもよい。これは、色であれば、タッチ感度の抑制度合いの強さ（例えば強さＰ１，Ｐ２，Ｐ３）に応じて、Ｐ１であれば黄色、Ｐ１であれば青色、Ｐ３であれば赤色等の様に、特定のアプリ用アイコン又は文字キーの色を変える。これによって、ユーザが他のアイコンや文字キーと色が異なることに気付き、色のアプリ用アイコン又は文字キーの誤操作が多いことに気付き易くなる。この効果は、特定のアプリ用アイコン又は文字キーの大きさを、タッチ感度の度合いに応じて、徐々に大きく又は小さくする、また、特定のアプリ用アイコン又は文字キーの形状線の太さを徐々に太く又は細くするなどしても同様に得ることができる。
【００５８】
また、感度抑制部１２２で抑制されたタッチ感度をリセットする感度リセット部１２５更に備えて構成した。この構成によれば、特定のアプリ用アイコン又は文字キーのタッチ感度が抑制された後に、ユーザがそのアプリ用アイコン又は文字キーの誤操作が多いことに気付き、それを回避できるように意識した場合等に、タッチ感度の抑制を解除して通常状態に戻すことができる。
【００５９】
なお、上記ではタッチパネル型端末装置として携帯電話機１を例に挙げて説明したが、通信を行うＰＤＡ、タブレット型ＰＣ、電子書籍端末機や、また、通信を行わないスタンドアローンタイプの電子辞書端末機等の端末機であってもよい。
【００６０】
以上、本発明の好ましい実施形態について詳述したが、本発明の技術的範囲予測は上記実施形態に記載の範囲予測には限定されないことは言うまでもない。上記実施形態に、多様な変更又は改良を加えることが可能であることが当業者に明らかである。またその様な変更又は改良を加えた形態も本発明の技術的範囲予測に含まれ得ることが、特許請求の範囲予測の記載から明らかである。
【符号の説明】
【００６１】
１・・携帯電話機、ＴＰ‥タッチパネル、ＫＢ‥キーボード、１２１‥キー誤操作検出部、１２２‥感度抑制部、１２３‥キー操作制御部、１２４‥キー表示状態可変部、１２５‥感度リセット部。
【図１】
2013175138.tif 000003
【図２】
2013175138.tif 000004
【図３】
2013175138.tif 000005
【図４】
2013175138.tif 000006
【図５】
2013175138.tif 000007
【図６】
2013175138.tif 000008